(57)【要約】【課題】鳥が慣れてしまわないようにして、長期にわたって追い払い効果を維持できるとともに、鳥が接近してきたときに確実に撃退させることができる鳥追い払い装置を提供する。【解決手段】鳥の接近に伴う音が入力されるマイク３６と、スピーカ３２と、鳥の接近に伴う静電気が入力される静電アンテナ３７と、静電アンテナ３７から入力される静電気を検出し、且つマイク３６によって音声が入力された場合に、スピーカ３２へ駆動電流を流すスピーカ駆動部３４とを具備し、スピーカ駆動部３４がスピーカへ駆動電流を流した際には、ハウリング音がスピーカ３２から出力されるような位置に、マイク３６とスピーカ３２とが配置されている。【選択図】図１
2008295353.tif 000002
【特許請求の範囲】
【請求項１】
鳥の接近に伴う音が入力されるマイクと、
スピーカと、
鳥の接近に伴う静電気が入力される静電アンテナと、
該静電アンテナから入力される静電気を検出し、且つ前記マイクによって音声が入力された場合に、スピーカへ駆動電流を流すスピーカ駆動部とを具備し、
スピーカ駆動部がスピーカへ駆動電流を流した際には、ハウリング音がスピーカから出力されるような位置に、前記マイクと前記スピーカとが配置されていることを特徴とする鳥追い払い装置。
【請求項２】
前記スピーカ駆動部は、双方のゲートが静電アンテナに接続されたｐチャネル電界効果トランジスタとｎチャネル電界効果トランジスタとを有しており、静電気の極性がプラスまたはマイナスのどちらであっても、ｐチャネル電界効果トランジスタとｎチャネル電界効果トランジスタのうちの少なくともいずれか一方がオンするように設けられていることを特徴とする請求項1記載の鳥追い払い装置。
【請求項３】
前記ｐチャネル電界効果トランジスタのドレインとｎチャネル電界効果トランジスタのソースとの間には可変抵抗器が接続されており、可変抵抗器の調整によってハウリング音の発生を調整可能であることを特徴とする請求項２記載の鳥追い払い装置。
【請求項４】
前記マイクの後段には、入力された音声信号を増幅する増幅部が設けられていることを特徴とする請求項１〜請求項３のうちのいずれか1項記載の鳥追い払い装置。
【請求項５】
前記増幅部の出力段が一次巻線に接続されたトランスが設けられ、
該トランスの二次巻線の一端には、前記静電アンテナが接続され、二次巻線の他端には、前記スピーカ駆動部が接続されることにより、前記マイクに入力があった場合のみ静電アンテナに入力された静電気をスピーカ駆動部が検出可能に設けられていることを特徴とする請求項４記載の鳥追い払い装置。
【請求項６】
前記静電アンテナは、鳥の形状をなしていることを特徴とする請求項１〜請求項５のうちのいずれか１項記載の鳥追い払い装置。
【発明の詳細な説明】
【技術分野】
【０００１】
本発明は、鳥を追い払うための鳥追い払い装置に関する。
【背景技術】
【０００２】
鳥による被害は、水田、畑、果樹園、養魚場、ゴミの集積所など多岐にわたっている。
このため、様々な場所で鳥を追い払うための工夫が考えられており、従来から知られている鳥の追い払い装置としては、爆音発生器、防鳥ネット、反射装置、超音波発生器、張り糸などがある（例えば、特許文献１、特許文献２参照）。
【０００３】
上述したような音を発生させる鳥追い払い装置では、常に同じ音しか発生しないために鳥の方が音に慣れてしまい、徐々に効果が弱まってしまうし、光などを反射させる反射装置においても同様に鳥が慣れてしまうという問題があった。
【０００４】
そこで、害鳥が飛来したときのみ威嚇音を発生させることにより、威嚇効果を永続的に発揮させようとする威嚇装置もすでに知られている（例えば、特許文献３、特許文献４参照）。
【０００５】
【特許文献１】特開平１１−８９５０６
【特許文献２】特開２００３−１５８９８４号公報
【特許文献３】特開平５−１２３０９３号公報
【特許文献４】特開昭６２−２２０１３４号公報
【発明の開示】
【発明が解決しようとする課題】
【０００６】
上述した引用文献４のような装置においては、鳥から生じた音をマイクで拾ってスピーカから出力するようにしているので、鳥が実際に接近したときに限って音を発生させ、その発生音もその都度違った音にすることができた。
しかし、鳥が鳴き声などをたてずに接近してきた場合、鳥から生じる音は羽ばたき音だけであり、この音をマイクで拾ってスピーカから出力させたとしても鳥を撃退させるほどの音にはならない。
このため、鳥が接近してきたときのみに発生させる音で確実に撃退させる構成が要望されているという課題があった。
【０００７】
そこで、本発明は上記課題を解決すべくなされ、その目的とするところは、鳥が慣れてしまわないようにして、長期にわたって追い払い効果を維持できるとともに、鳥が接近してきたときに確実に撃退させることができる鳥追い払い装置を提供することにある。
【課題を解決するための手段】
【０００８】
本発明は上記目的を達成するため次の構成を備える。
すなわち、本発明にかかる鳥追い払い装置によれば、鳥の接近に伴う音が入力されるマイクと、スピーカと、鳥の接近に伴う静電気が入力される静電アンテナと、該静電アンテナから入力される静電気を検出し、且つ前記マイクから音声が入力された場合に、スピーカへ駆動電流を流すスピーカ駆動部とを具備し、スピーカ駆動部がスピーカへ駆動電流を流した際には、ハウリング音がスピーカから出力されるような位置に、前記マイクと前記スピーカとが配置されていることを特徴としている。
この構成を採用することによって、鳥を撃退するためのハウリング音を、音と静電気の双方を検出した場合にのみ発生させることができる。また、撃退させるための音はハウリング音であり、その音は鳥にとって嫌な音であることが判明しており、このため、鳥を確実に撃退できる。また、ハウリング音であるからその都度音の内容が変わり、鳥の慣れを防止することができる。
【０００９】
また、前記スピーカ駆動部は、双方のゲートが静電アンテナに接続されたｐチャネル電界効果トランジスタとｎチャネル電界効果トランジスタとを有しており、静電気の極性がプラスまたはマイナスのどちらであっても、ｐチャネル電界効果トランジスタとｎチャネル電界効果トランジスタのうちの少なくともいずれか一方がオンするように設けられていることを特徴としてもよい。
この構成によれば、静電気がプラスの電荷を帯びている場合でも、マイナスの電荷を帯びている場合でも、どちらの場合でも検出することができる。
【００１０】
さらに、前記ｐチャネル電界効果トランジスタのドレインとｎチャネル電界効果トランジスタのソースとの間には可変抵抗器が接続されており、可変抵抗器の調整によってハウリング音の発生を調整可能であることを特徴としてもよい。
この構成によれば、静電気を検出したときの各電界効果コンデンサのドレイン電流を増減させることができるので、これによりスピーカの駆動電流の調整ができ、ハウリング音を調整することができる。
【００１１】
さらに、前記マイクの後段には、入力された音声信号を増幅する増幅部が設けられていることを特徴としてもよい。
【００１２】
また、前記増幅部の出力段が一次巻線に接続されたトランスが設けられ、該トランスの二次巻線の一端には、前記静電アンテナが接続され、二次巻線の他端には、前記スピーカ駆動部が接続されることにより、前記マイクに入力があった場合のみ静電アンテナに入力された静電気をスピーカ駆動部が検出可能に設けられていることを特徴としてもよい。
【００１３】
前記静電アンテナは、鳥の形状をなしていることを特徴としてもよい。
この構成によれば、鳥は静電アンテナを見ただけで去っていく可能性もあり、鳥の撃退をより効果的に行うことができる。
【発明の効果】
【００１４】
本発明の鳥追い払い装置によれば、鳥が慣れてしまわずに、鳥の撃退を確実に行うことができる。
【発明を実施するための最良の形態】
【００１５】
以下、本発明に係る鳥追い払い装置の好適な実施の形態を添付図面に基づいて詳細に説明する。
図１は、本実施形態の実施形態を示すブロック図である。
鳥追い払い装置３０は、スピーカ３２から出力されるハウリング音によって、鳥を追い払うことができる。スピーカ３２の駆動はスピーカ駆動部３４によって行われる。
【００１６】
スピーカ駆動部３４には、マイク３６と静電アンテナ３７が接続されている。スピーカ駆動部３４は、マイク３６からの音声入力と、静電アンテナ３７で捉えた静電気とが入力された場合にスピーカ３２に駆動電流を流すように動作する。
【００１７】
スピーカ３２に駆動電流が流れると、スピーカ３２からはハウリング音が発生する。一般的にハウリング音は、スピーカ３２とマイク３６との間で出力された音声がマイクにフィードバックされて発生するものであり、スピーカ３２とマイク３６の配置場所によって決まることが多い。したがって、鳥追い払い装置３０では、マイク３６とスピーカ３２の位置をなるべく接近させて配置されるようにしている。
【００１８】
次に図２に基づいて、図１に示した鳥追い払い装置をさらに具体化した構成について説明する。
鳥追い払い装置３０のマイク３６の後段には、入力された音声信号を増幅する増幅部３８が設けられている。増幅部３８によって増幅された音声信号は、トランス４０の一次巻線Ｌ１の一端側に入力される。ここでは一次巻線Ｌ１の他端側は接地されている。
トランス４０の二次巻線Ｌ２の他端側には静電アンテナ３７が接続されており、二次巻線Ｌ２の一端側はスピーカ駆動部３４が接続されている。
【００１９】
このように、トランス４０の一次巻線Ｌ１にマイク３６からの音声信号を入力させ、二次巻線Ｌ２に静電アンテナ３７を接続したことによって、トランス４０にマイク入力があり且つ静電アンテナ３７で静電気を検出した場合のみ、二次巻線Ｌ２からスピーカ駆動部３４へ静電気による検出信号が流れる。
なお、実際に用いたトランス４０の一次巻線と二次巻線のインピーダンス比は、１ｋΩ：１０ｋΩである。
【００２０】
図３に、図２に示した鳥追い払い装置をさらに具体的にした構成について示す。
マイク３６は、一端が増幅部３８を構成するＮＰＮトランジスタＴＲ１のベースに接続され、他端が接地されている。
増幅部３８は、ＮＰＮトランジスタＴＲ１と、ＮＰＮトランジスタＴＲ１のコレクタに、ベースが接続されたＰＮＰトランジスタＴＲ２とを備えている。
ＰＮＰトランジスタＴＲ２のエミッタには直流電源の正極が接続されており、コレクタにはトランス４０の一次巻線Ｌ１の一端側が接続されている。
【００２１】
また、ＮＰＮトランジスタＴＲ１のベースは、バイアス電圧を設定するための抵抗Ｒ１と抵抗Ｒ２との間に接続されている。つまり、抵抗Ｒ１の一端は直流電源の正極に接続され、抵抗Ｒ２の他端は接地されており、抵抗Ｒ１と抵抗Ｒ２によって直流電源が分圧されてバイアス電圧が設定される。
また、ＮＰＮトランジスタＴＲ１のエミッタにはエミッタ抵抗Ｒ３とバイパスコンデンサＣ１が接続されている。
【００２２】
トランス４０の二次側の回路構成について説明する。
これによると、スピーカ駆動部３４は、コンプリメンタリ接続されたｎチャネル電界効果トランジスタＦＥＴ１とｐチャネル電界効果トランジスタＦＥＴ２と、スピーカ３２に二次巻線が接続された出力トランス４２と、出力トランス４２の一次巻線の両端に接続されて直流電源からの電流を一次巻線に流すためのＰＮＰトランジスタＴＲ３及びＮＰＮトランジスタ４とを備えている。
【００２３】
ＰＮＰトランジスタＴＲ３のベースはｎチャネル電界効果トランジスタＦＥＴ１のドレインに接続されており、プラスに帯電した静電気を静電アンテナ３７が捉えた場合にｎチャネル電界効果トランジスタＦＥＴ１がオンとなりＰＮＰトランジスタＴＲ３がオンとなる。
また、ＮＰＮトランジスタＴＲ４のベースはｐチャネル電界効果トランジスタＦＥＴ２のソースに接続されており、マイナスに帯電した静電気を静電アンテナ３７が捉えた場合にｐチャネル電界効果トランジスタＦＥＴ２がオンとなりＮＰＮトランジスタＴＲ４がオンとなる。
【００２４】
また、両電界効果トランジスタＦＥＴ１、ＦＥＴ２のゲートと、トランス４０の二次巻線との間には、カップリングコンデンサＣ２が接続されている。カップリングコンデンサＣ２が、両電界効果トランジスタＦＥＴ１、ＦＥＴ２への直流成分の入力をカットする。
【００２５】
ｎチャネル電界効果トランジスタＦＥＴ１のソースと、ｐチャネル電界効果トランジスタＦＥＴ２のドレインとの間は、可変抵抗ＶＲ１を介して接続されている。
可変抵抗ＶＲ１の値を調整することで、スピーカ３２から発生するハウリング音の発生を制御することができる。
つまり、可変抵抗ＶＲ１の値を調整すると、両電界効果トランジスタに流れるドレイン電流の電流量を調整することができる。つまり、可変抵抗ＶＲ１の値を小さくすると、ドレイン電流が流れやすくなり、この場合には、静電気の電圧値が小さい場合でも、スピーカ３２へ供給される駆動電流が十分に確保できるので、感度を良くすることができる。一方、可変抵抗ＶＲ１の値を大きくすると、ドレイン電流が流れにくくなり、この場合には、静電気の電圧値が大きい場合でも、スピーカ３２へ供給される駆動電流が少なくなり、感度が良すぎる場合に良好である。
【００２６】
また、上述した回路における直流電源は、２．４Ｖ程度の電圧で駆動する。したがって、本発明の鳥追い払い装置の電源としては乾電池を２本用いれば済むことになり、小型の構成とすることができる。
【００２７】
なお、静電アンテナ３７の形状は様々な形状にすることができるが、特に鳥の形状にすると好適である（図４参照）。
鳥の形状にするには、アンテナを構成する金属線自体で鳥の形状の骨組みを形作る方法もあるし、アンテナを構成する金属線の周囲にアルミ箔等の金属箔で鳥の形状を形作って装着するようにしてもよい。
【００２８】
なお、上述した実施形態では、増幅部の構成として２つのトランジスタを接続して増幅させていたが、特にこのような回路構成に限定するものではない。
【００２９】
以上、本発明につき好適な実施形態を挙げて種々説明したが、本発明はこの実施形態に限定されるものではなく、発明の精神を逸脱しない範囲内で多くの改変を施し得るのはもちろんである。
【図面の簡単な説明】
【００３０】
【図１】本発明に係る鳥追い払い装置のブロック図である。
【図２】図１の鳥追い払い装置の構成をさらに具体化した構成のブロック図である。
【図３】鳥追い払い装置の具体的な回路構成を示す回路図である。
【図４】鳥の形状にした静電アンテナの外観を示す説明図である。
【符号の説明】
【００３１】
３０  鳥追い払い装置
３２  スピーカ
３４  スピーカ駆動部
３６  マイク
３７  静電アンテナ
３８  増幅部
４０  トランス
４２  出力トランス
Ｃ１  バイパスコンデンサ
Ｃ２  カップリングコンデンサ
ＦＥＴ１，ＦＥＴ２  電界効果トランジスタ
Ｌ１  一次巻線
Ｌ２  二次巻線
Ｒ１，Ｒ２  抵抗
Ｒ３  エミッタ抵抗
ＴＲ１〜ＴＲ４  トランジスタ
ＶＲ１  可変抵抗
【図１】
2008295353.tif 000003
【図２】
2008295353.tif 000004
【図３】
2008295353.tif 000005
【図４】
2008295353.tif 000006